(57)【要約】【課題】構成が簡単で安価に製造することができるとともに、幅木と足場板との間に隙間を生じさせない、幅木固定用金具および幅木固定構造を提供する。【解決手段】幅木支持部材１２０をクランプ１１０に対して回動（α度）させることで幅木３１を傾斜させて固定する。これにより、枠組足場（柱部材１１）と足場板２０の側面との間に生じる隙間Ｓ１を塞ぐことが可能となる。その結果、足場板２０の側面領域に隙間を生じさせることなく、足場板からの工具の落下防止等を確実なものとすることができる。【選択図】図３
2011006877.tif 000002
【特許請求の範囲】
【請求項１】
鉛直方向に延びる柱部材(11)、水平方向に延びる梁部材(12)、および、足場板(20)を構成部品に有する枠組足場(1)に幅木(31)を取り付けるための幅木固定用金具(100)であって、
前記柱部材(11)に対して着脱可能に取り付けるための締付金具(110)と、
前記締付金具(110)に対して回動可能に取り付けられる幅木支持部材(120)と、を備え、
前記幅木支持部材(120)は、
前記締付金具(110,210,310)から略水平方向に延びるとともに、その軸周りに沿って回動可能に前記締付金具(110)に取り付けられるベース軸部(121）と、
前記ベース軸部(121)の軸方向に対して交差する方向に延び、幅木を下方側から支持するための幅木受部領域(120A)と、
を有する幅木固定用金具。
【請求項２】
前記幅木受部領域(120A)は、
前記ベース軸部(121)の軸方向に対して交差するように略下方に延びる延長部(124,125,126)と、
前記延長部(124,126)の軸方向に対して交差する方向に延びる幅木受部(127)と、
前記幅木受部(127)から、前記延長部(124,126)に並行に略上方向に延びる起立部(128)と、を有する請求項１に記載の幅木固定用金具。
【請求項３】
前記幅木受部(127)は、前記ベース軸部(121)の軸方向に対して略直交する方向に延びる、請求項１に記載の幅木固定用金具。
【請求項４】
前記延長部は、前記幅木受部領域(120A)が前記締付金具(110)に対して回動していない位置状態において、前記締付金具(110)の取付中心軸(C1)と重なり合う領域(126)を含む、請求項２または３に記載の幅木固定用金具。
【請求項５】
前記幅木受部領域は、幅木を下方側から支持した状態において、幅木を上方側から押圧するストッパ機構(130)をさらに有する、請求項１から４のいずれかに記載の幅木固定用金具。
【請求項６】
前記締付金具(110)と前記幅木支持部材(120)との間には、前記締付金具(110)に対する前記幅木支持部材(120)の回動角度を固定するための固定手段(121,121s,122,123)がさらに設けられる、請求項１から５のいずれかに記載の幅木固定用金具。
【請求項７】
鉛直方向に延びる柱部材(11)、水平方向に延びる梁部材(12)、および、足場板(20)を構成部品に有する枠組足場(1)に幅木(31)を取り付けるための幅木固定構造であって、
前記幅木(31)の第１固定位置(R1)および第２固定位置（R2)では、請求項１から６のいずれかに記載の幅木固定用金具を用いて前記幅木(31)の下面側を保持し、
前記第１固定位置(R1)と前記第２固定位置（R2)との間に位置する第３固定位置(R3)では、前記幅木(31)の上面側に当接する金具を用いて、前記幅木(31)の上面側を保持する、幅木固定構造。
【発明の詳細な説明】
【技術分野】
【０００１】
この発明は、建設現場、作業現場等において用いられる枠組足場に幅木を取り付ける際に用いられる、幅木固定用金具および幅木固定構造に関する。
【背景技術】
【０００２】
枠組足場における足場板からの工具の落下防止等のために、足場板の周縁開放部に幅木が取り付けされる。幅木を枠組足場の構成部品である柱部材に固定するための幅木固定用金具として、下記の特許文献１が挙げられる。
【先行技術文献】
【特許文献】
【０００３】
【特許文献１】特開２００７−１３２０９９号公報
【発明の概要】
【発明が解決しようとする課題】
【０００４】
枠組足場の構成部材として、鉛直方向に延びる複数の柱部材、水平方向に延びる複数の梁部材、および、複数の足場板が挙げられる。ここで、足場板の幅寸法は、仮説工業会認定基準においては、最大幅が５００ｍｍ以下と定められている。また、枠組足場の市場に流通している柱部材間の幅寸法は、６００ｍｍ、９００ｍｍ、１２００ｍｍが主流となっている。
【０００５】
柱部材間が１２００ｍｍの枠組足場においては、幅５００ｍｍの足場板が２枚用いられる。しかし、この寸法関係において、足場板を中央に並べて配置した場合には、足場板の両側に５０ｍｍの寸法差が生じることになる。枠組足場には、上記したように幅木が取り付けられることから、幅木と足場板の側面との間に隙間が生じる。
【０００６】
枠組足場の柱部材間の寸法に合せて、４００ｍｍ幅の足場板を３枚用いることも考えられる。しかし、足場板の種類の増加に伴う建設コストの上昇が懸念されること、建設現場、作業現場等において用いられる足場板の数量は相当数あるため、現場での枠組足場の組み立て作業量が大幅に増大することが懸念される。
【０００７】
この発明の目的は、構成が簡単で安価で製造することができるとともに、幅木と足場板との間に隙間を生じさせない、幅木固定用金具および幅木固定構造を提供することにある。
【課題を解決するための手段】
【０００８】
この発明に基づいた幅木固定用金具においては、鉛直方向に延びる柱部材、水平方向に延びる梁部材、および、足場板を構成部品に有する枠組足場に幅木を取り付けるための幅木固定用金具であって、上記柱部材に対して着脱可能に取り付けるための締付金具と、上記締付金具に対して回動可能に取り付けられる幅木支持部材とを備えている。
【０００９】
上記幅木支持部材は、上記締付金具から略水平方向に延びるとともに、その軸周りに沿って回動可能に上記締付金具に取り付けられるベース軸部と、上記ベース軸部の軸方向に対して交差する方向に延び、幅木を下方側から支持するための幅木受部領域とを有している。
【００１０】
上記幅木固定用金具の他の形態においては、上記幅木受部領域は、上記ベース軸部の軸方向に対して交差するように略下方に延びる延長部と、上記延長部の軸方向に対して交差する方向に延びる幅木受部と、上記幅木受部から、上記延長部に並行に略上方向に延びる起立部とを有する。
【００１１】
上記幅木固定用金具の他の形態においては、上記幅木受部は、上記ベース軸部の軸方向に対して略直交する方向に延びる。
【００１２】
上記幅木固定用金具のいずれかにおいては、上記延長部は、上記幅木受部領域が上記締付金具(110)に対して回動していない位置状態において、上記締付金具の取付中心軸と重なり合う領域を含む。
【００１３】
上記幅木固定用金具の他の形態においては、上記幅木受部領域は、幅木を下方側から支持した状態において、幅木を上方側から押圧するストッパ機構をさらに有する。
【００１４】
上記幅木固定用金具の他の形態においては、上記締付金具と上記幅木支持部材との間には、上記締付金具に対する上記幅木支持部材の回動角度を固定するための固定手段が設けられる。
【００１５】
この発明に基づいた幅木固定構造においては、鉛直方向に延びる柱部材、水平方向に延びる梁部材、および、足場板を構成部品に有する枠組足場に幅木を取り付けるための幅木固定構造であって、上記幅木の第１固定位置および第２固定位置では、上記の幅木固定用金具を用いて上記幅木の下面側を保持し、上記第１固定位置と上記第２固定位置との間に位置する第３固定位置では、上記幅木の上面側に当接する金具を用いて、上記幅木の上面側を保持する。
【発明の効果】
【００１６】
この発明に基づいた幅木固定用金具および幅木固定構造によれば、構成が簡単で安価で製造することができるとともに、幅木と足場板との間に隙間を生じさせずに、枠組足場に幅木を取り付けることが可能となる。
【図面の簡単な説明】
【００１７】
【図１】実施の形態における幅木固定用金具を用いて幅木を枠組足場に固定した状態を示す斜視図である。
【図２】実施の形態における幅木固定用金具を用いて幅木を枠組足場に固定した状態を示す拡大斜視図である。
【図３】実施の形態における幅木固定用金具を用いて幅木を枠組足場に固定した状態を示す拡大側面図である。
【図４】実施の形態における幅木固定用金具の詳細構造を示す第１斜視図である。
【図５】実施の形態における幅木固定用金具の詳細構造を示す第２斜視図である。
【図６】実施の形態における幅木固定用金具の詳細構造を示す正面図である。
【図７】実施の形態における幅木固定用金具の他の構成を示す斜視図である。
【図８】実施の形態における幅木固定用金具の締付金具への幅木支持部材の他の取付構造を示す部分斜視図である。
【図９】実施の形態における幅木固定構造を示す模式図である。
【図１０】実施の形態の幅木固定構造に用いる他の幅木固定用金具の詳細構造を示す斜視図である。
【発明を実施するための形態】
【００１８】
本発明に基づいた実施の形態における幅木固定用金具および幅木固定構造について、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００１９】
（枠組足場１）
図１を参照して、以下に示す実施の形態における幅木固定用金具を用いて幅木を枠組足場に固定した状態について説明する。建設現場、作業現場等において用いられる枠組足場１は、現場の状況に応じてその形態は様々である。たとえば、建物の建築現場で用いられる枠組足場は、建物の外壁形状に沿って直線状に設けられ、また、コーナ部ではそのコーナ部に沿って設けられる。足場の段数は、家庭用家屋の建築現場等では、２段から４段、商業用のビル建築現場では数十段設けられる。
【００２０】
図１は、枠組足場１の直線部分での幅木３１の取り付け状態を示すものである。幅木は連続して隙間なく配設されるが、ここでは、説明の便宜上２枚の幅木３１，３１を図示している。枠組足場１は、鉛直方向に延びる複数の柱部材１１と水平方向に延びる複数の梁部材１２を有している。梁部材１２には、足場板２０が複数取り付けられている。柱部材１１は、所定のピッチ（Ｌ）で配設されるとともに、柱部材１１同士の間には、手摺部材１３および筋交い１４が取り付けられている。
【００２１】
枠組足場１における足場板２０からの工具の落下防止等のために、足場板２０の周縁開放部に幅木３１，３１が、幅木固定用金具１００を用いて枠組足場１に固定されている。中央に位置する幅木固定用金具１００は、２枚の幅木３１を重ね合せるようにして支持している。
【００２２】
（幅木固定用金具１００による幅木３１の固定）
図２および図３を参照して、本実施の形態における幅木固定用金具１００は、柱部材１１に対して着脱可能に取り付けるための締付金具であるクランプ１１０と、このクランプ１１０に対して回動可能に取り付けられる幅木支持部材１２０とを有している。図示においては、幅木支持部材１２０は、鉛直方向（Ｃ１）に対してα度（約３０度）回動させた状態が保たれ、幅木３１を傾斜させて支持している。
【００２３】
幅木３１の底面は幅木受部１２７により支持されている。また、幅木３１の上面はストッパ機構１３０により、下方に向けて押え付けられている。これにより、幅木３１の幅木受部１２７内での遊びを抑制することができる。
【００２４】
（幅木固定用金具１００の詳細構造）
図４から図６を参照して、上記幅木固定用金具１００の詳細構造について説明する。この幅木固定用金具１００は、柱部材１１に対して着脱可能に取り付けるための締付金具であるクランプ１１０と、このクランプ１１０に対して回動可能に取り付けられる幅木支持部材１２０とを備えている。
【００２５】
クランプ１１０は、柱部材１１に巻き付くように配置される半円弧形状の第１固定片１１１および第２固定片１１２と有している。第１固定片１１１の一端と第２固定片１１２の一端とは、軸１１３により相互に回動可能に連結されている。第１固定片１１１の他端には、軸１１６により回動可能にボルト１１５が連結さている。第２固定片１１２の一端には、ボルト１１５を受け入れ可能なＵ字形状の係合スリット１１４が形成されている。ボルト１１５には、予めナット１１７がセットされている。なお、クランプ１１０は同様の機能を有するものであれば、図示する構造を有するクランプに限定されるものではない。
【００２６】
幅木支持部材１２０は、クランプ１１０から略水平方向に延び、その軸周り（図中Ｒ回動方向）に沿って回動可能にクランプ１１０の第１固定片１１１に取り付けられるベース軸部１２１と、このベース軸部１２１の軸方向に対して交差する方向に延び、幅木を下方側から支持するための幅木受部領域１２０Ａとを有している。
【００２７】
ベース軸部１２１は、第１固定片１１１の表面から略垂直方向に突出するように設けられている。ベース軸部１２１は、第１固定片１１１を回動可能に貫通する。第１固定片１１１の内側には、ボルト頭１２２が設けられている。ベース軸部１２１の表面には、ネジ溝１２１ｓが形成されている。第１固定片１１１の外側の領域には、ネジ溝１２１sに螺合するナット１２３がセットされている。このベース軸部１２１に設けられた、ボルト頭１２２、ネジ溝１２１s、およびナット１２３により、クランプ１１０に対する幅木支持部材１２０の回動角度(α度）を固定するための固定手段を構成する。
【００２８】
幅木受部領域１２０Ａは、ベース軸部１２１の軸方向に対して交差するように略下方に延びる延長部を有している。本実施の形態では、この延長部は、ベース軸部１２１の軸方向に対して略直交するように略下方に延びる第１延長部１２４と、この第１延長部１２４からベース軸部１２１の軸方に対して並行となるように、傾斜しながら略下方に延びる第２延長部１２５と、第２延長部１２５から略下方に延びる第３延長部１２６とを有している。
【００２９】
さらに、第３延長部１２６の一端からは、この第３延長部１２６の軸方向に対して交差する方向に延びる幅木受部１２７が設けられ、この幅木受部１２７の一端から第３延長部１２６に並行に略上方向に延びる起立部１２８が設けられている。また、本実施の形態における幅木受部１２７の軸方向と、ベース軸部１２１の軸方向との交わる角度が、略９０度となるように折り曲げられている。
【００３０】
本実施の形態では、ベース軸部１２１の一端と第１延長部１２４の一端とは溶接により固定されているが、溶接による結合に限らず、Ｌ字状の連結部材を用いて、ベース軸部１２１と第１延長部１２４とを連結状態にすることも可能である。
【００３１】
本実施の形態における第３延長部１２６は、幅木受部領域１２０Ａがクランプ１１０に対して回動していない位置状態（図４〜図６に示す状態、αが０度の状態）において、クランプ１１０の取付中心軸Ｃ１(鉛直方向)と重なり合うように形成されている。第２延長部１２５は、第３延長部１２６を、クランプ１１０の取付中心軸Ｃ１に一致させるために傾斜している。
【００３２】
なお、本実施の形態における幅木受部領域１２０Ａは、一本の鉄製の棒状部材を折り曲げることにより成形されている。また、クランプ１１０、幅木支持部材１２０、および、後述のストッパ機構１３０の表面は、防錆のためメッキ処理が施されている。
【００３３】
（ストッパ機構１３０）
第３延長部１２６には、幅木３１の上面を下方に向けて押え付けるためのストッパ機構１３０が設けられている。このストッパ機構１３０は、第３延長部１２６の中央より上部領域に設けられたネジ山１３４、このねじ山１３４に螺合する蝶ナット１３２、ワッシャ１３３、および、第３延長部１２６に沿って上下異動可能なストッパプレート１３１から構成されている。蝶ナット１３２は、通常の六角ナットでもかまわない。ストッパプレート１３１の先端部近傍領域には、貫通孔１３１ａが設けられている。この貫通孔１３１ａは、釘、木ねじ等を用いた幅木を固定する際に用いられる。
【００３４】
（寸法の一例）
本実施の形態においては、ベース軸部１２１の第１固定片１１１から突出する部分の長さは約３０ｍｍ程度、第１延長部１２４の長さ（Ｌ１）は約６０ｍｍ程度、第２延長部１２５の長さ（Ｌ２）は約１００ｍｍ程度、第３延長部１２６の長さ（Ｌ３）は約１８０ｍｍ程度、幅木受部１２７の長さ（Ｌ４）は約９０ｍｍ程度、起立部１２８の長さ（Ｌ５）は約５０ｍｍ程度、全長（Ｈ）は約３００ｍｍ程度である。なお、これらの寸法に限定されるものでなく、固定すべき幅木のサイズに応じて適宜変更される。
【００３５】
（幅木３１の固定）
上記構成からなる幅木固定用金具１００を用いた幅木３１の固定の一例について、再び、図３を参照して説明する。まず、クランプ１１０を柱部材１１に仮固定する。このとき、クランプ１１０は柱部材１１に沿って上下動可能な状態とする。次に、幅木支持部材１２０の幅木受部１２７の下端コーナ部を足場板２０の上に当接させた状態で、クランプ１１０を柱部材１１に沿って上下動させて、幅木支持部材１２０の回動角度(傾斜角度）αが最適な角度となるように調節する。角度を調節した後、ボルト１１７を締め込み、クランプ１１０を柱部材１１に本固定する。また、ベース軸部１２１に設けられたナット１２３を締めこむことにより、幅木支持部材１２０の回動角度を固定する。
【００３６】
次に、幅木支持部材１２０の幅木受部１２７に幅木３１を載置する。その後、ストッパ機構１３０を用いて、ストッパプレート１３１を幅木３１の上面に当接させた後に、蝶ナット１３２を締め込み、ストッパプレート１３１により幅木３１の上面を押え付ける。これにより、幅木固定用金具１００を用いた幅木３１の固定が完了する。なお、上記幅木の固定手順はあくまでも一例であり、現場の作業員の作業性に応じて、手順は変わるものである。
【００３７】
（作用・効果）
以上、本実施の形態における幅木固定用金具１００によれば、図３に示すように、幅木支持部材１２０をクランプ１１０に対して回動させることで幅木３１を傾斜させて固定する。これにより、枠組足場（柱部材１１）と足場板２０の側面との間に生じる隙間Ｓ１を塞ぐことが可能となる。その結果、図１に示すように、足場板２０の側面領域に隙間を生じさせることなく、足場板２０からの工具の落下防止等を確実なものとすることができる。
【００３８】
また、この幅木固定用金具１００を用いて幅木３１を固定することができるため、作業者の労力の軽減を図ることができる。また、幅木固定用金具１００の構成部材として、安価な部材を用いることができるため、現場において数多く必要とされる幅木固定用金具１００に要するコストの上昇を抑制することが可能となる。
【００３９】
また、第３延長部１２６を、幅木受部領域１２０Ａがクランプ１１０に対して回動していない位置状態において、クランプ１１０の取付中心軸Ｃ１に一致させる構成を採用していることから、幅木固定用金具１００を柱部材１１に取り付けた場合に、図１に示すように、柱部材１１の間隔（Ｌ）と、幅木固定用金具１００の第３延長部１２６の間隔とを一致させる配置が可能となる。これにより、柱部材１１の間隔（Ｌ）に対応させて、幅木３１の長さを決定することが可能となる。
【００４０】
また、ベース軸部１２１によりクランプ１１０から遠ざかる位置に幅木支持部材１２０が位置することから、クランプ１１０を柱部材１１に対して回動させることで、幅木３１を幅木支持部材１２０により締付けることも可能となる。
【００４１】
また、この幅木固定用金具１００は、ベース軸部１２１を用いて、クランプ１１０から遠ざかる位置に、幅木支持部材１２０を設けるようにしていることから、幅木受部１２７から幅木３１がはみ出した場合であっても、幅木を保持することができるため、予め用意した正規長さの幅木だけでなく、現場にある木製の足場板を幅木として用いることもできる。
【００４２】
なお、上記実施の形態においては、第３延長部１２６を、クランプ１１０の取付中心軸Ｃ１に一致させるために傾斜する第２延長部１２５を設ける構成を採用しているが、第３延長部１２６を取付中心軸Ｃ１に一致させる必要がない場合には、図７に示すように、第２延長部１２５を設けることなく、第１延長部１２４をそのまま延長させ、第１延長部１２４の下端から幅木受部１２７を設ける構成を採用することも可能である。
【００４３】
また、屋外において風が強い現場では、幅木３１に風が当たることで、幅木３１が浮上する（持ち上げられる）場合がある。このような場合には、ベース軸部１２１に設けられた固定手段であるナット１２３を締め込み、また、ストッパ機構１３０を用いることで、幅木の浮き上がりを抑制させることができる。さらに、幅木固定用金具１００が足場板２０に当接していることから、足場板２０の風による浮き上がりも防止することができる。
【００４４】
しかし、屋内等の現場では、風の影響を考慮する必要がない場合も有り得る。このような場合には、ベース軸部１２１に、クランプ１１０に対する幅木支持部材１２０の回動角度(α度）を固定するための固定手段を設ける必要はない。同様に、ストッパ機構１３０を設ける必要もない。
【００４５】
また、上記実施の形態においては、ベース軸部１２１は、クランプ１１０の第１固定片１１１の表面から略垂直方向に突出し、第１固定片１１１を回動可能に貫通するように設ける構成を採用しているが、この構成には限られない。たとえば、図８に示すように、第１固定片１１１の外側面に沿ってベース軸部１２１を配設して、ベース軸部１２１の軸周りに回動可能なように軸受２１０，２１０によりベース軸部１２１を支持する構成を採用することも可能である。
【００４６】
（幅木固定構造）
次に、図９および図１０を参照して、上述した幅木固定用金具１００を用いた幅木固定構造について説明する。幅木３１を枠組足場の柱部材１１に固定する場合、幅木３１の両側の第１固定位置Ｐ１および第２固定位置Ｐ２においては、上述した幅木固定用金具１００を用いることができる。
【００４７】
第１固定位置Ｐ１および第２固定位置Ｐ２においては、幅木固定用金具１００により、下面側から幅木３１を支持している（Ｒ１，Ｒ２）。この場合に、幅木３１の中間位置である第３固定位置（Ｐ３）を支持する場合には、上面側から幅木３１を支持（Ｒ３）する構造を採用する。
【００４８】
幅木３１の第３固定位置（Ｐ３）を支持する幅木固定用金具４００を図１０に示す。この幅木固定用金具４００は、柱部材１１に対して着脱可能に取り付けるための締付金具であるクランプ４１０と、このクランプ４１０に固定される幅木支持部材４２０を備えている。
【００４９】
クランプ４１０は、柱部材１１に巻き付くように配置される半円弧形状の第１固定片４１１および第２固定片４１２と有し、第１固定片４１１の一端と第２固定片４１２の一端とは、軸４１３により相互に回動可能に連結されている。第１固定片４１１の他端には、軸４１６により回動可能にボルト４１５が連結さている。第２固定片４１２の一端には、ボルト４１５を受け入れ可能なＵ字形状の係合スリット４１４が形成されている。ボルト４１５には、予めナット４１７がセットされている。
【００５０】
幅木支持部材４２０は、クランプ４１０から略水平方向に延びるベース部４２１を有している。ベース部４２１の一端側は、第１固定片４１１に溶接により固定されている。ベース部４２１の他端からは、略鉛直下方向に延びる垂下部４２２が設けられている。
【００５１】
ベース部４２１のクランプ４１０から突出する部分の長さは約１００ｍｍ程度、垂下部４２２の長さは約１８０ｍｍ程度である。なお、これらの寸法に限定されるものでなく、固定すべき幅木のサイズに応じて適宜変更される。
【００５２】
以上、幅木３１の固定構造において、第１固定位置Ｐ１および第２固定位置Ｐ２においては、幅木固定用金具１００により下面側から幅木３１を支持し、幅木３１の中間位置である第３固定位置（Ｐ３）においては、上面側から幅木３１を支持する構造を採用することで、幅木３１の上下の動きを規制することが可能となり、幅木３１を枠組足場の柱部材１１に対して容易にかつ強固に固定することが可能となる。
【００５３】
なお、上記実施の形態においては、コスト、製造の容易化の観点から、幅木受部領域１２０Ａとして一本の鉄の棒を折り曲げ加工したものを採用したが、複数本の部材を組み合わせて幅木受部領域１２０Ａを形成することも可能である。また、角材、アングル材等を用いて幅木支持部材を形成することも可能である。また、軽量化のため中空のパイプ部材等を用いて、幅木支持部材を形成することも可能である。
【００５４】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００５５】
１  枠組足場、１１  柱部材、１２  梁部材、１３  手摺部材、１４  筋交い、２０  足場板、３１  幅木、１００  幅木固定用金具、１１０，４１０  クランプ、１１１，４１１  第１固定片、１１２，４１２  第２固定片、１１３，１１６，４１３，４１６  軸、１１４，４１４  係合スリット、１１５，４１５  ボルト、１１７，４１７  ナット、１２０，４２０  幅木支持部材、１２０Ａ  幅木受部領域、１２１  ベース軸部、１２１ｓ  ネジ溝、１２２  ボルト頭、１２３  ナット、１２４  第１延長部、１２５  第２延長部、１２６  第３延長部、１２７  幅木受部、１２８  起立部、１３０  ストッパ機構、１３１  ストッパプレート、１３１ａ  貫通孔、１３２  蝶ナット、１３３  ワッシャ、１３４  ネジ山、２１０  軸受、４２１  ベース部、４２２  垂下部、Ｃ１  取付中心軸。
【図１】
2011006877.tif 000003
【図２】
2011006877.tif 000004
【図３】
2011006877.tif 000005
【図４】
2011006877.tif 000006
【図５】
2011006877.tif 000007
【図６】
2011006877.tif 000008
【図７】
2011006877.tif 000009
【図８】
2011006877.tif 000010
【図９】
2011006877.tif 000011
【図１０】
2011006877.tif 000012